(57)【要約】【課題】片手でトイレットペーパーの引き出し，切断を容易にして老人や子供、また手先の不自由な人でも簡単に使いこなせるロールペーパーホルダーを提供する。【解決手段】ロールペーパー１２の中心空洞部に挿入する固定用アタッチメント２の一端側に手動式の回転ホイール１を取り付け、回転ホイール１を回転させることにより容易にペーパーを引き出すことができるようにした。  また、ロールペーパー押え蓋４の上側から下向きに力を加えると押え蓋がロックされるロック機構３を設け、ペーパーのカッティングを容易にすると共に、更にロールペーパーの交換を簡単にするため回動可能な三角回転板６を付設した。  【選択図】      図１
2005074183.tif 000002
【特許請求の範囲】
【請求項１】
コ字状ケーシングの対向する両側板間にロールペーパーの中心空洞部に挿入されるペーパー固定用アタッチメントを、その中心固定棒の一端を弾接し、他端を側板外で調節可能に締め付けると共に、一方の側板内に回転ホイールを前記固定用アタッチメントと一体回転可能に取り付け、回転ホイールを回動させることによりペーパーを引き出し得る如くなしたことを特徴とする片手で使用可能なロールペーパーホルダー。
【請求項２】
本体ケーシングにペーパー押え蓋を設け、該押え蓋にペーパーカットを容易にするためロック機構を設けた請求項１記載の片手で使用可能なロールペーパーホルダー。
【請求項３】
本体ケーシングの一方の側板下部に長さと角度の調整可能な手巻き棒を取り付けペーパー重ねの形成を簡単にしている請求項１または２記載の片手で使用可能なロールペーパーホルダー。
【請求項４】
ケース側板内部で回転ホイールに併設して三角回転板をアタッチメントの固定棒に連結固定して約９０°下方向に回動可能に設け、ロールペーパー中心の固定用アタッチメントを９０°下方に回動することによりロールペーパーを横向きに取り出し又は交換可能となした請求項１，２または３記載の片手で使用可能なロールペーパーホルダー
【請求項５】
回転ホイール又は／及びロック機構を左右付け替えることが可能である請求項１〜４の何れかの項に記載の片手で使用可能なロールペーパーホルダー。
【請求項６】
本体ケーシング上部に物置台を取り付けた請求項１〜５の何れかの項に記載の片手で使用可能なロールペーパーホルダー。
【発明の詳細な説明】
【技術分野】
【０００１】
本発明はロールペーパーホルダーに係り、特に介護用として片手でも使用可能なロールペーパーホルダーに関するものである。
【背景技術】
【０００２】
従来、片手で使用できるロールペーパーホルダーにはトイレットペーパーの切断を容易にする負荷ロールを設け、切断，取り出しを可能にしたものがある。（例えば特許文献１参照）
また上部に押え蓋をもつ型式のロールペーパーホルダーへ付設容易にアタッチメントを配置しているものもある。（例えば特許文献２参照）
【０００３】
以下、図９により上記従来の片手で使用できるロールペーパーホルダーについて説明すると、図において３６はトイレットペーパーの切断を容易にするため、ローラ受け３７に装着された負荷ロールであり、ペーパー受け３２に装着されたロールペーパー３３から引き出されたペーパーは前記負荷ロール３６の下を通り、ホルダー３１に伸ばして設けられている切断部３４で切断，取り出しされるようになっており、安全カバー３８を取り付けることにより下方向に引っ張り、刃先３５でもって片手で容易に切断でき、また片手で簡単に取り出すことを可能としている。
【０００４】
一方、図１０においてはロールペーパーホルダーへ付着容易なアタッチメントを配置するものとして、上部に押え蓋４５をもつ型式のロールペーパーホルダーの間隙部４６に、上下可動として挿入できる昇降板４１の上部へ、押え蓋４５よりも長寸の揺動板４２を具えばね４３により閉動付勢すると共に、前記挿入に伴い開動され、押え蓋４５を介しロールペーパー４７外周面を凹圧する揺動板４２の揺動端縁４４が、ホルダー前方のロールペーパー４７外周面下方へ向くように揺動板４２を湾曲形成したアタッチメントが記載され、該アタッチメントによりロールペーパーの回動を揺動板で所要制動すると共に、巻き戻したペーパーの切断をロールペーパー外周面外の揺動端縁でするようにして巻き戻しと切断時の押え蓋の操作を不要として片手での利用を可能にしている。
【０００５】
【特許文献１】特開２００３−１１６７４２号公報
【特許文献２】実開昭６２−２４７９４号公報
【発明の開示】
【発明が解決しようとする課題】
【０００６】
しかし、以上に述べた従来のロールペーパーホルダーでは、特に老人や小さい子供、また、手先が不自由な人にとっては、ペーパーの取り出し，カット，ペーパーの重ねなど、一連の動作が困難であり、容易に片手で取り出し得るには至っていない。
【０００７】
本発明は、上述の如き実状に対処し、介護用として、このような従来の構成が有していた問題を解決するものであり、特に老人や小さい子供、とりわけ手が不自由な人でも簡単に使いこなし、容易に片手でペーパーを取り出し得るようにすることを目的とするものである。
【課題を解決するための手段】
【０００８】
本発明は上記目的を達成するために、先ず第１の解決手段として、コ字状ケーシングの対向する両側板間にロールペーパーの中心空洞部に挿入されるペーパー固定用アタッチメントを、その中心固定棒の一端を弾接し、他端を側板外で調節可能に締め付けて設けると共に、一方の側板内側に回転ホイールを前記固定用アタッチメントと一体回転可能に取り付けて回転ホイールを回動によりペーパーを引き出し易くした。
また、本発明の第２の解決手段は、ペーパーのカットを簡単にするために本体ケーシングにペーパー押え蓋を設けて該押え蓋にスプリング付きロック機構を設置したことである。
【０００９】
第３の解決手段は、本体ケーシングの側板下部に長さと角度を調整可能な手巻き棒を取り付け、ロールペーパーを片手で適当に引き出し、そのペーパーを持った手と手巻き棒との間で複数回巻き付けることによって簡単にペーパー重ねを作ることを可能としたものである。
【００１０】
第４の解決手段は、本体ケーシング側板内側で前記回線ホイールに併設して三角回転板をアタッチメントの固定棒に固定連結して約９０°下方へ回動可能に設け、ロールペーパーの固定芯棒及びアタッチメントを９０°下方に回動することによってペーパーを横向きに取り出し、交換とペーパー芯固定の調整をすることを可能としたことである。
【００１１】
そして第５の解決手段は、使い勝手が便利なように回転ホイールとロック機構を左右付け替えることを可能としたことであり、第６の解決手段は、本体ケーシング上部に物置台を取り付け可能としたことである。
【００１２】
上記第１の課題解決手段による作用は、次の通りである。
即ち、ペーパーの切り端が取り出しにくい時、ロールペーパーが回転ホイールと固定連結しているため、押え蓋に関係なく回転ホイールを身体の一部で、どちらでも一方向に動かすことによって、ペーパーを容易に取り出すことが出来る。
【００１３】
また、第２の課題解決手段による作用は、ペーパー押え蓋に下方向きの人為的力を加えることによって、ペーパー押え蓋の下方の動きの位置に対して、ロックできる機構を組み込むことで押え蓋とロールペーパーとの接触を確保することになり、ペーパーを簡単にカットすることができる。
【００１４】
なお、ペーパーを取り出す時は、この接触状態を解除する必要があり、この時はロック機構解除レバーを押すことで解除できて、押え蓋とペーパーとの間に空隙を作ることでロールペーパーが回転し易くなる。
【００１５】
次に、第３の課題解決手段による作用は、利用が便利なように長さと角度が調節できる手巻き棒を取り付けることで、使う人に合わせることが可能であり、棒とロールペーパーとの間隙を使って手で巻き付けることによってその人に合ったペーパーの重ねを作ることができる。
【００１６】
また、第４の課題解決手段による作用は、ロールペーパーの交換時、三角回転板を下方へ回動し、ロール芯を９０°下方に回転することによってペーパーを横向きに取り出し、交換を行い、そのときにペーパー芯の大きさの違いや真の長さの違いをナットで調整して固定することが可能になる。
更に、第５の課題解決手段による作用は、壁取り付け時に使い勝手の便利な方に回転ホイールとロック機構の部品を入れ替えることによって利便性を向上させるものであり、第６の解決手段は物置台を設置することによって携帯電話や花などを置くことができるものである。
【発明の効果】
【００１７】
上述したように、本発明のロールペーパーホルダーは回転ホイール，ロック機構，三角回転板、更に手巻き棒等を随時、操作することにより介護用として片手でペーパーの取り出しからカット、ペーパーの重ね取りまで一連の作業を可能にできる効果を発揮するものである。
また、いろいろなペーパーサイズに適合できることも特徴である。
【発明を実施するための最良の形態】
【００１８】
以下、本発明の実施の形態を図１〜図８にもとづいて説明する。
図１は本発明に係るロールペーパーホルダーの斜視図であり、図において本体ケーシング１は壁取付部１４，両側板１５，１６によって構成され、該ケーシングの開放された両側板１５，１６間にはロールペーパー１２の固定用アタッチメント２が図２に示す如くロールペーパーＰの中心空洞部を通して亘設されており、その固定芯棒１７の一端は一方のケーシング側板１５に弾接され、他方の端部は他側のケーシング側板１６にナット８により締め付け固定されている。
【００１９】
固定アタッチメント２の中間外周には図２に示す如く適宜、間隔をおいてリングばねが周接され、締め付けナットを締め付け、調整ナット２ａで調整することによりロールペーパー１２の空洞部内面に密着し、ロールペーパーを固定するようになっていると共に、ロールペーパー外側でケーシング側板１６内側において回転ホイール１が回り止めカラー等を介し固定芯棒１７に連結固定されている。
回転ホイール１は手動により固定用アタッチメント２と一体に回動し、ロールペーパーよりペーパーの引き出しを容易ならしめるものである。
【００２０】
また、上記ケーシング側板１６の内側には前記回転ホイール１に併設して回転ホイール１外側に三角形状の回転板６が固定用アタッチメント２の固定芯棒１７に連結固定されて設けられており、回転軸ボルト９を支点として、図中、６ａの位置まで約９０°下方へ回動可能となっており、これに伴ってロールペーパーは１２ａ巻取で、また回転ホイールは１ａ位置まで回動する。
なお、落下防止対策として上記回転板６に安全ピン７が設けられている。
図中、１０はケーシングの上部に載せられる物置台であり、１１はベルト交換時の回転ホイール受けストッパーで、ゴムクッションが付設されている。
また、５はケーシングより下方に延出して設けられた手巻き棒で、図２に示すように角度調整ノブ５ａと伸縮調整ノブ５ｂが設けられていて、長さと角度が調節できるようになっており、ロールペーパーとの間の間隙を使って手で巻き付けることによって人に合ったペーパーの重ねを作ることができる。
【００２１】
次に前記ケーシングには内部に保持されるロールペーパー１２を押さえる押え蓋４が蓋回転用ピン１３ａ，１３ｂにより回転可能に設けられており、該押え蓋４の下面にはスプリング付きのロック機構３が設置されている。
このロック機構は図３，図６〜図８に見られるように上，中，下の各ケース３ｊ，３ｋ，３ｌからなっていて、これらはビス３ｍにより取り付けられて一連に連結固定されており、その上部ケース３ｊにはロック解除レバー３ａが上下のストッパー３ｄ，３ｅで制限されて上限位置３ｂと下限位置３ｃ間で移動し得るように設けられると共に、該解除レバー３ａを常に押し上げる押上げ用ばね３ｈが収納されている。
そして、中部ケース３ｋには押え蓋押し上げ用ばね３ｉが組み込まれＬ字型ガイドピン３ｇが各ケースを通じて設けられ、Ｌ字型ガイドピン３ｇの先端はペーパー押え蓋４下面の案内箱４ａに挿入されている。
そのため、ペーパー押え蓋４を押え蓋の上面より人為的にロールペーパーに接触するまで下方へ押すと、Ｌ字型ガイドピン３ｇに力が加わり、押え蓋押し上げ用ばね３ｉが縮み、解除レバー３ａとガイドピンの穴径の違いによりロックされ、人為力を除いても押え蓋４がその位置を保持し、ペーパーのカッティングを容易にし得るように構成されている。
ロック解除に際しては解除レバー３ａを押すことで解除でき、押え蓋４とロールペーパー１２との間に空隙を作り、ロールペーパーが回転し易くされるようになっている。
なお、本発明ロールペーパーホルダーは壁に取り付ける時に使い勝手が便利なように回転ホイールやロック機構を左右付け替えることか可能となっている。
【００２２】
本発明は以上のような構成を有しており、以下、上記構成の動作を説明する。
先ずロック機構３のレバーを押してフリーにし、手巻き棒５のノブ５ａ，５ｂをフリーにして、安全ピン７を抜き三角回転板を図４の位置６ａまで回動し、アタッチメント２を手前に引き出して、回転ホイール受けストッパー１１に回転ホイール１を図の１ａの如く接触させて固定させ、ロールペーパー１２をアタッチメント２に挿入する。
挿入完了後、調整ナット２ａで調整する。調整ナットの回転方向によってアタッチメント２に組み込まれたリングばねがばね締め付け用カラーの移動によって伸縮してロールペーパー１２の芯を固定する。
これは同じ芯径であれば特に調整する必要はない。
次いで挿入されたロールペーパー１２を三角回転板の上方への回動により上方に上げて一端の固定ばねに押し込み、さらに安全ピン７を差し込む。
【００２３】
次にケーシング内側にビス止めされたロック機構３の動作を説明する。
ロック機構のケース、通常、上，中，下の３ケース３ｊ，３ｋ，３ｌは連結固定されて、上部ケース３ｊにはロック解除レバー３ａと、該解除レバー押し上げ用ばね３ｈは常に上記解除レバーを押し上げている。
また解除レバー３ａにはＬ字型ガイドピンの径より大きい穴があいており、ロック中部ケース３ｋには押え蓋押し上げ用ばね３ｉが組み込まれている。
更にロック機構各ケースを通してＬ字型ガイドピン３ｇがあり、Ｌ字型ガイドピンの先端部は案内箱に挿入されている。そのため、ペーパー押え蓋を下方に押すと、Ｌ字型ガイドピンに力が加わり、押え蓋押し上げ用ばね３ｉが縮み、解除レバーとガイドピンの穴径の違いによりロックされる。
一方、ロック解除に際してはロック解除レバー３ａを押し下げることにより行う。
なお、フリーにされた手巻き棒５の各調整ノブ５ａ，５ｂを使用し、利用しやすい位置に調整する。
【００２４】
かくして、紙の取り出しにあたり、固定したロールペーパーに、別の回転ホイールを取り付けることによって、押え蓋に関係なく少し回すだけでペーパーの切り端が出てくる。その切り端を掴むことによってその状態で手巻き棒を利用して手が回転する間隔で２〜３回巻き付ける。
その後、手を離し、押え蓋をペーパーに接触するまで下げるとロック機構が働いてその位置を保持できるので、簡単にペーパーをカットすることができる。
次に使う場合、ロック機構を外すためには、ロック解除レバーを下方に軽い力を加えることによって行えば、ばねの力で持ち上がるので簡単にセットが完了する。
ここで重要にことは、セットが完了すると押え蓋とペーパーの間に隙間ができて軽くペーパーを取り出すことが可能となることである。
以上のようにして本発明実施形態によれば、片手しか使えない人でも簡単に用いることができ、介護用として好適である。
【図面の簡単な説明】
【００２５】
【図１】本発明の実施形態を示すロールペーパーホルダーの概観斜視図である。
【図２】同ロールペーパーホルダーの正面図である。
【図３】同ロールペーパーホルダーの平面図である。
【図４】同ロールペーパーホルダーの下降状態を示す右側面図である。
【図５】同ロールペーパーホルダーの左側面図である。
【図６】同ロールペーパーホルダーＡ−Ａ線から見たロック機構正面図である。
【図７】上記ロック機構平面図である。
【図８】図６のロック機構の側面図である。
【図９】従来のロールペーパーホルダーの概要図である。
【図１０】従来のロールペーパーホルダーの他の概要図である。
【符号の説明】
【００２６】
１：回転ホイール
１ａ：回転ホイール回転後の位置
２：ロールペーパー固定用アタッチメント
２ａ：調整ナット
３：ロック機構
３ａ：ロック機構解除レバー
４：ペーパー押え蓋
４ａ：左側ロック機構Ｌ字型ガイドピン案内箱
４ｂ：右側ロック機構Ｌ字型ガイドピン案内箱
４ｃ：ペーパー押え蓋最大下限位置
５：手巻き棒
５ａ：手巻き棒角度調整ノブ
５ｂ：手巻き棒伸縮調整ノブ
６：三角回転板
７：安全ピン
８：固定棒締め付けナット
９：三角回転板回転軸用ボルトナット
１０：物置台
１１：ペーパー交換時回転ホイール受けストッパー
１２：ロールペーパー
１３ａ：左側ペーパー押え蓋回転用ピン
１３ｂ：右側ペーパー押え蓋回転用ピン
１４：本体ケーシング壁取り付け部
１５：本体ケーシング左側部
１６：本体ケーシング右側部
１７：三角回転板連結用固定芯棒
１８：固定棒取り出し案内溝
１９：固定棒先端固定ばね
【図１】
2005074183.tif 000003
【図２】
2005074183.tif 000004
【図３】
2005074183.tif 000005
【図４】
2005074183.tif 000006
【図５】
2005074183.tif 000007
【図６】
2005074183.tif 000008
【図７】
2005074183.tif 000009
【図８】
2005074183.tif 000010
【図９】
2005074183.tif 000011
【図１０】
2005074183.tif 000012